(57)【特許請求の範囲】
【請求項１】
天板に形成した通孔の内部に取り付けられ、少なくとも互いに対向する一対の支持壁部を有した装置本体と、前記天板の通孔を開閉する態様で前記装置本体の支持壁部に移動可能に支持させたカバー部材とを備え、前記カバー部材が前記天板の通孔を覆った状態で配線ケーブルを通過させる配線用カバー装置において、
前記支持壁部に直交する同一の揺動軸心を中心としてそれぞれの支持壁部にアーム部材を揺動可能に支持させ、かつ各アーム部材の先端部に前記揺動軸心に平行となる同一の回転軸心を中心として前記カバー部材を回転可能に支持させるとともに、
それぞれの軸心が前記揺動軸心に平行となるように前記カバー部材の両端部に案内ピンを突設する一方、前記支持壁部には前記カバー部材の案内ピンをスライド可能に挿通する案内溝を形成し、
前記案内溝は、
前記アーム部材の揺動を停止した状態で前記カバー部材が前記天板の通孔を覆った位置から通孔を開放した位置まで前記回転軸心を中心として回転した場合の前記案内ピンの移動を案内する回転案内部と、
前記カバー部材が前記天板の通孔を開放した位置から通孔の内部に収容された位置まで前記揺動軸心を中心として移動した場合の前記案内ピンの移動を案内する揺動案内部とを有した
ことを特徴とする配線用カバー装置。
【請求項２】
前記天板の通孔に対して観音開きとなるように平板状を成す２枚のカバー部材を並設し、これらカバー部材によって前記天板の通孔を覆った場合に前記カバー部材の相互間に配線ケーブルを通過させる隙間を確保したことを特徴とする請求項１に記載の配線用カバー装置。
【発明の詳細な説明】
【技術分野】
【０００１】
本発明は、テーブルの天板に設けた配線用の通孔をカバーするための配線用カバー装置に関するものである。
【背景技術】
【０００２】
パソコンやディスプレイ等の電子機器、あるいは卓上照明等の電化製品が設置されるテーブルにおいては、電源ケーブル等の配線ケーブルを見栄え良く敷設するために、天板に形成した配線用の通孔を配線用カバー装置によって覆うようにしている。
【０００３】
この種の配線用カバー装置は、天板に形成した通孔の内部に取り付けられる装置本体と、天板の通孔を開閉する一対のカバー部材とを備えたものが一般的である。一対のカバー部材は、アーム部材によって観音開きとなるように装置本体に対して揺動可能に支持され、通孔を覆った場合に天板の上面と同じ平面上に位置されるものである。カバー部材を開放した状態にあっては、天板の上面に通孔が露出されるため、差込プラグやＡＣアダプター等、配線ケーブルよりも大型の部品を天板の上下に通過させることができる。一方、カバー部材の先端部間には、通孔を覆った場合にも幅の狭い間隙が確保されており、この間隙を通じて天板の上下に配線ケーブルを通過させるようにしている。
【０００４】
この種の配線用カバー装置によれば、アーム部材によってカバー部材が装置本体に支持された構造であるため、天板の通孔を開閉する際にカバー部材を着脱する必要がなく、カバー部材を紛失する等の問題を招来する恐れがない。しかも、通孔を開放した状態においては、カバー部材が通孔の内部に収納された状態となるため、配線ケーブルを敷設する際にカバー部材が邪魔になることもない。
【０００５】
しかしながら、カバー部材を単にアーム部材によって揺動可能に支持させたのでは、カバー部材の移動軌跡が円弧状となるため、通孔を覆った状態にあるカバー部材を開放する方向に移動させるには、天板の通孔を超えてカバー部材を外方に移動させる必要がある。つまり、カバー部材によって天板を覆った状態において、天板における通孔の縁部とカバー部材との間に、カバー部材が移動するための隙間を確保しておかなければ、カバー部材を開放方向に移動させることができず、外観品質を考慮した場合、必ずしも好ましいとはいえない。
【０００６】
このため従来では、アーム部材の揺動軸心を装置本体に対して移動可能に配設し、カバー部材を開閉する際にアーム部材の揺動軸心を移動させるものが提供されている（例えば、特許文献１参照）。この配線用カバー装置によれば、カバー部材を開放する際にアーム部材の揺動軸心を移動させることでカバー部材を通孔の内方側に配置することができるため、天板の縁部との間に隙間を確保しておかなくとも、カバー部材を開放方向に移動させることが可能となり、外観品質を向上させることができる。
【先行技術文献】
【特許文献】
【０００７】
【特許文献１】特開２００９−１１０８１６号公報
【発明の概要】
【発明が解決しようとする課題】
【０００８】
ところで、電子機器や電化製品が設置されるテーブルには、同時に複数人で使用するのが前提となったものもある。こうしたテーブルにあっては、配線ケーブルを敷設するための通孔を複数人で共用するのが一般的であり、通孔として大きな開口面積を有したものを用意するようにしている。こうしたテーブルを対象とする配線用カバー装置としては、通孔の開口面積に合わせて大型のものが必要となり、通孔を覆うカバー部材としても大きな面積を有したものを適用する必要がある。
【０００９】
ここで、カバー部材が大きな面積を有したものであっても、アーム部材の揺動軸心が正確に規定されていれば、装置本体に対してカバー部材を揺動させる際の操作も容易に行うことが可能である。しかしながら、特許文献１に記載の装置にあっては、アーム部材の揺動軸心が装置本体に対して移動可能であるため、換言すれば、カバー部材の揺動軸心が正確に規定される構成ではなく、装置本体に対してカバー部材を揺動させる途中において揺動軸心がずれることになり、操作性に問題を来す恐れがある。例えば、揺動軸心の移動により装置本体に対してカバー部材が斜めに配置されることもあり、そのまま揺動させた場合、装置本体に対してカバー部材が拗れる等の動作不良を招来する恐れがある。
【００１０】
本発明は、上記実情に鑑みて、大型のカバー部材を適用した場合であっても通孔を開閉する際の操作を良好にし、かつ通孔を覆った場合の外観品質を向上させることのできる配線用カバー装置を提供することを目的とする。
【課題を解決するための手段】
【００１１】
上記目的を達成するため、本発明に係る配線用カバー装置は、天板に形成した通孔の内部に取り付けられ、少なくとも互いに対向する一対の支持壁部を有した装置本体と、前記天板の通孔を開閉する態様で前記装置本体の支持壁部に移動可能に支持させたカバー部材とを備え、前記カバー部材が前記天板の通孔を覆った状態で配線ケーブルを通過させる配線用カバー装置において、前記支持壁部に直交する同一の揺動軸心を中心としてそれぞれの支持壁部にアーム部材を揺動可能に支持させ、かつ各アーム部材の先端部に前記揺動軸心に平行となる同一の回転軸心を中心として前記カバー部材を回転可能に支持させるとともに、それぞれの軸心が前記揺動軸心に平行となるように前記カバー部材の両端部に案内ピンを突設する一方、前記支持壁部には前記カバー部材の案内ピンをスライド可能に挿通する案内溝を形成し、前記案内溝は、前記アーム部材の揺動を停止した状態で前記カバー部材が前記天板の通孔を覆った位置から通孔を開放した位置まで前記回転軸心を中心として回転した場合の前記案内ピンの移動を案内する回転案内部と、前記カバー部材が前記天板の通孔を開放した位置から通孔の内部に収容された位置まで前記揺動軸心を中心として移動した場合の前記案内ピンの移動を案内する揺動案内部とを有したことを特徴とする。
【００１３】
また、本発明は、上述した配線用カバー装置において、前記天板の通孔に対して観音開きとなるように平板状を成す２枚のカバー部材を並設し、これらカバー部材によって前記天板の通孔を覆った場合に前記カバー部材の相互間に配線ケーブルを通過させる隙間を確保したことを特徴とする。
【発明の効果】
【００１４】
本発明によれば、アーム部材とカバー部材とが互いに回転可能であるため、カバー部材によって通孔を開閉する操作と、カバー部材の通孔に対して出し入れする操作とを個別に行うことができ、通孔を開放させる際に通孔を超えてカバー部材を外方に移動させる必要がなくなる。このため、カバー部材によって通孔を覆った場合に天板との間に隙間を確保しておく必要もなくなり、外観品質を向上させることができる。しかも、カバー部材を回転させる際の回転軸心やアーム部材を揺動させる際の揺動軸心が常に同じ位置に規定される。このため、カバー部材が長大化した場合であってもこれを回転させる際の挙動を安定化することができ、通孔を開閉する際の操作を良好に行うことができる。
【００１５】
また、本発明によれば、カバー部材が軸部を介して装置本体の案内溝に沿って移動するため、通孔を開閉する際の操作をより安定化することができる。
【００１６】
また、本発明によれば、２つのカバー部材によって通孔を覆うようにしているため、カバー部材の幅寸法を小型化でき、通孔を開閉する際の操作をより良好に行うことが可能となる。
【図面の簡単な説明】
【００１７】
【図１】図１は、本発明の実施の形態である配線用カバー装置を適用したテーブルの外観斜視図である。
【図２】図２は、図１に示したテーブルに適用する配線用カバー装置を概念的に示した斜視図である。
【図３】図３は、図２に示した配線用カバー装置においてカバー部材を閉じた状態の断面図である。
【図４】図４は、図２に示した配線用カバー装置に適用するカバー部材及びアーム部材の構成を示す分解斜視図である。
【図５】図５は、図４に示したカバー部材及びアーム部材を組み立てた状態の斜視図である。
【図６】図６は、図２に示した配線用カバー装置においてカバー部材を閉じた状態から開放方向に移動させた状態の断面図である。
【図７】図７は、図６に示した配線用カバー装置よりもさらにカバー部材を開放方向に移動させた状態の断面図である。
【図８】図８は、図７に示した配線用カバー装置よりもさらにカバー部材を開放方向に移動させた状態の断面図である。
【図９】図９は、図２に示した配線用カバー装置においてカバー部材を開放した状態の断面図である。
【発明を実施するための形態】
【００１８】
以下、添付図面を参照しながら本発明に係る配線用カバー装置の好適な実施の形態について詳細に説明する。
【００１９】
図１は、本発明の実施の形態である配線用カバー装置を適用したテーブルを示したものである。ここで例示するテーブル１は、天板２が長辺２ａと短辺２ｂとを有した矩形の平板状を成し、長辺２ａとなる縁部にそれぞれ２名ずつ着座して、合計４名で使用することを前提に構成したもので、天板２の中央部に通孔３が形成してある。通孔３は、天板２の上面に設置する電子機器や電化製品から延在された電源ケーブル等の配線ケーブルと、床面に敷設された給電ケーブル等の配線ケーブルとを互いに接続するために天板２に設けた貫通孔であり、４名で共用できるように大きな開口面積を有している。本実施の形態の通孔３は、短辺３ｂに対して長辺３ａの寸法を十分に大きく形成してあり、長辺３ａ及び短辺３ｂがそれぞれ天板２の長辺２ａ及び短辺２ｂと平行となるように配置してある。
【００２０】
このテーブル１の通孔３には、配線用カバー装置１０が設けてある。配線用カバー装置１０は、通孔３に配線ケーブルを通過させた状態で通孔３の開口を覆うためのもので、図２に示すように、装置本体１１を備えている。装置本体１１は、互いに平行に配置した一対の支持壁部１１１と、支持壁部１１１の両側部間を連結する一対の側壁部１１２と、これら支持壁部１１１及び側壁部１１２によって構成される枠状体の底面を閉塞する底壁部１１３とを有して構成したもので、上端部が開口した直方体状を成している。
【００２１】
支持壁部１１１は、その上端部に通孔３の短辺３ｂとほぼ同じ幅を有した挿入部１１１ａを有しており、この挿入部１１１ａを天板２の下方から通孔３の内部に挿入することが可能である。挿入部１１１ａの上下方向に沿った寸法は、天板２の板厚よりもわずかに小さい長さに形成してあり、天板２の通孔３に挿入した場合にも、挿入部１１１ａが天板２の上面から突出することはない。尚、支持壁部１１１の下方部には、それぞれ開口１１１ｂが形成してあり、装置本体１１の上端部の開口との間に配線ケーブルを通過させることが可能である。
【００２２】
側壁部１１２は、矩形の平板状を成すもので、支持壁部１１１の挿入部１１１ａをそれぞれ通孔３の短辺３ｂに当接させた状態において一対の支持壁部１１１の間を連結することのできる長さに形成してある。側壁部１１２の上下方向に沿った寸法は、支持壁部１１１の挿入部１１１ａを通孔３に挿通させた場合にその上面が天板２の下面に当接するだけの高さに形成してある。図２からも明らかなように、側壁部１１２は、個々の外表面に複数の取付片１１４を備えており、これら取付片１１４のネジ挿通孔１１４ａを介して天板２の下面にネジを螺合させることにより、装置本体１１を天板２に取り付けることが可能である。
【００２３】
また、装置本体１１には、側壁部１１２の相互間に一対のカバー部材１２が配設してある。カバー部材１２は、通孔３の長辺３ａとほぼ同じ長さを有し、かつ通孔３の短辺３ｂの１／２よりもわずかに幅の狭い矩形の平板状を成しており、互いに並設した状態で通孔３に配置した場合、長辺３ａに沿った方向にはほぼ隙間なく、短辺３ｂに沿った方向にはわずかに隙間ができるように構成してある。
【００２４】
本実施の形態では、図４及び図５に示すように、押し出し成形によって構成した長尺のカバー基部材１２１の両端部にそれぞれキャップ部材１２２を装着することによってカバー部材１２を構成している。尚、一対のカバー部材１２は、互いに対称に構成したものであるため、以下においては一方についてのみ説明する。
【００２５】
カバー基部材１２１は、表面１２１ａとなる部位が平坦面状に構成してある一方、裏面となる部位にピン装着溝部１２１ｂ及び収容溝部１２１ｃを有している。ピン装着溝部１２１ｂは、横断面が細径の円形を成す貫通孔であり、径外方向に形成したスリットにより、カバー部材１２において一方の長辺（以下、区別する場合に「基端側長辺１２ａ」という）の端面に開口している。収容溝部１２１ｃは、ピン装着溝部１２１ｂに隣接して形成した一連の凹溝であり、カバー部材１２の裏面において約１／２の幅を有するように形成してある。この収容溝部１２１ｃにおいて他方の長辺（以下、区別する場合に「先端側長辺１２ｂ」という）に近接する開口縁部には、基端側長辺１２ａに向けてストッパ片部１２１ｄが突設してある。尚、図２中の符号は、各カバー部材１２において先端側長辺１２ｂの先端縁に装着したリップ部材１２３である。リップ部材１２３は、合成樹脂材によって成形したもので、先端側長辺１２ｂの全長に渡って設けてある。
【００２６】
キャップ部材１２２は、図４及び図５に示すように、互いに対称となる形状に形成してあり、カバー基部材１２１の両端面に嵌着してその全域を覆うことにより、カバー基部材１２１のエッジを外部に露出させないように機能するものである。それぞれのキャップ部材１２２には、ピン挿通孔１２２ａ及びアームピン支持孔１２２ｂが形成してある。ピン挿通孔１２２ａは、カバー基部材１２１のピン装着溝部１２１ｂを外部に開口させるために形成した貫通孔である。アームピン支持孔１２２ｂは、カバー基部材１２１の収容溝部１２１ｃに対応する位置に形成した細径の孔であり、カバー基部材１２１に対向する部位にのみ開口し、キャップ部材１２２の外表面には開口していない。
【００２７】
それぞれのカバー部材１２には、基端側長辺１２ａに近接する部位に一対の案内ピン１２４及び一対のアーム部材１２５が設けてある。
【００２８】
案内ピン１２４は、比較的太径の円柱状を成す摺動案内部１２４ａと、摺動案内部１２４ａの一端面から突出した細径の円柱状を成す嵌着部１２４ｂとを一体に成形したものである。それぞれの案内ピン１２４は、キャップ部材１２２のピン挿通孔１２２ａを介して嵌着部１２４ｂをカバー基部材１２１のピン装着溝部１２１ｂに圧入することにより、カバー部材１２の短辺１２ｃから外部に突出した状態に取り付けてある。上述したように、カバー基部材１２１を押し出し成形によって成形してあるため、ピン装着溝部１２１ｂに取り付けた一対の案内ピン１２４は、それぞれの軸心がカバー部材１２の長辺１２ａ，１２ｂに沿って互いに合致している。
【００２９】
アーム部材１２５は、幅広の基端部から先端に向けて漸次幅が狭くなり、幅狭の先端部が屈曲した外形形状を有したもので、屈曲した先端部の相互間が連結ロッド１２６によって互いに連結してある。連結ロッド１２６に対してそれぞれのアーム部材１２５は、互いに同一方向に向けて延在し、基端部が常に互いに対向した位置に配置される構成である。
【００３０】
個々のアーム部材１２５には、基端部に柱状部１２５ａが設けてある一方、先端部に支持ピン部１２５ｂが設けてある。柱状部１２５ａは、アーム部材１２５の基端部において互いに外方側となる表面から外方に向けて突出した太径の円柱状を成すもので、個々の中心部にネジ嵌着孔１２５ｃを有している。アーム部材１２５に設けたネジ嵌着孔１２５ｃは、それぞれの軸心（揺動軸心）が連結ロッド１２６の軸心に平行となる方向において互いに合致したもので、その内部に揺動ボルトＢ（図２参照）の頭部を嵌着することが可能である。支持ピン部１２５ｂは、アーム部材１２５の先端部において互いに外方側となる表面から外方に向けて突出した細径の円柱状を成すものである。それぞれの支持ピン部１２５ｂは、連結ロッド１２６と同一の軸心（回転軸心）となるようにアーム部材１２５に設けてある。
【００３１】
連結ロッド１２６によって連結したアーム部材１２５は、支持ピン部１２５ｂをそれぞれキャップ部材１２２に設けたアームピン支持孔１２２ｂに回転可能に嵌合させることにより、連結ロッド１２６をカバー部材１２の収容溝部１２１ｃに配置した状態で、連結ロッド１２６の軸心を中心としてカバー部材１２に回転可能に支持させてある。
【００３２】
アーム部材１２５の基端部は、個々のネジ嵌着孔１２５ｃに嵌着させた揺動ボルトＢを介して装置本体１１の支持壁部１１１に揺動可能に支持させてある。揺動ボルトＢは、それぞれの軸心が支持壁部１１１に対して直交する向きに配設してあり、支持壁部１１１に対してアーム部材１２５を干渉させることなく揺動させることが可能である。
【００３３】
支持壁部１１１に対するアーム部材１２５の向きは、図３に示すように、アーム部材１２５に支持させた２つのカバー部材１２が先端側長辺１２ｂを互いに対向させた状態で並設し、開放した場合に互いに観音開きとなるように、互いに柱状部１２５ａを形成した基端部を近接させ、かつ支持ピン部１２５ｂを形成した先端部が互いに離反するように配置してある。アーム部材１２５を支持させる位置は、アーム部材１２５の先端部をもっとも上方に配置した場合、図３に示すようにカバー部材１２によって通孔３の開口を覆うことができ、かつアーム部材１２５の先端部をもっとも下方に配置した場合には、図９に示すように、表面１２１ａを通孔３の長辺３ａに対向させ、かつ先端側長辺１２ｂが上方に向いた状態でカバー部材１２を通孔３の内部に収容することのできるように設定してある。また、図３に示すように、並設したカバー部材１２の先端側長辺１２ｂが互いに離隔し、かつリップ部材１２３の先端のみが互いに当接できるように揺動ボルトＢの相互間距離が設定してある。
【００３４】
一方、装置本体１１の支持壁部１１１には、案内溝１１５が形成してある。案内溝１１５は、カバー部材１２に設けた案内ピン１２４の摺動案内部１２４ａをスライド可能に収容し、案内ピン１２４を介して支持壁部１１１に対するカバー部材１２の移動を案内するためのもので、回転案内部１１５ａ及び揺動案内部１１５ｂを有している。回転案内部１１５ａは、アーム部材１２５の揺動を停止した状態でカバー部材１２のみを支持ピン部１２５ｂの軸心回りに回転させ、天板２の通孔３を覆った位置から通孔３を開放した位置まで移動させた場合の案内ピン１２４の軌跡となる位置に形成してある。具体的には、回転案内部１１５ａは、支持壁部１１１の挿入部１１１ａにおいて通孔３の長辺３ａに近接した上端部に設けてあり、支持壁部１１１の中心側に向かうに従って下方に傾斜する向きに延在している。揺動案内部１１５ｂは、カバー部材１２が先端側長辺１２ｂを上方に向けた姿勢でアーム部材１２５を揺動させ、通孔３に対してアーム部材１２５を上下方向に移動させた場合の案内ピン１２４の軌跡となる位置に形成したもので、上端部が回転案内部１１５ａの下端部に連続している。
【００３５】
上記のように構成した配線用カバー装置１０を備えるテーブル１では、配線ケーブルを敷設しない場合、カバー部材１２を互いに並設した状態に配置することで、図１及び図３に示すように、天板２に設けた通孔３を覆うことができ、外観品質を確保することができる。このとき、カバー部材１２は、図３に示すように、カバー基部材１２１に設けたストッパ片部１２１ｄがアーム部材１２５の先端部に当接することによって相対回転が規制されており、カバー基部材１２１の表面１２１ａを天板２の上面に一致させた状態に維持されている。
【００３６】
一方、天板２の上面に設置した電子機器や電化製品に対する配線ケーブルを敷設する場合には、カバー部材１２を開いて天板２の通孔３を開放すれば、通孔３を介して天板２の上下に配線ケーブルを敷設することが可能となる。この場合、２枚のカバー部材１２を観音開きとし、天板２の通孔３が大きく開放することができるため、差込プラグやＡＣアダプター等、配線ケーブルよりも大型の部品を天板２の上下に容易に通過させることができる。配線ケーブルを敷設した後においては、再びカバー部材１２を閉じることにより、配線ケーブルをカバー部材１２の相互間に通過させた状態で通孔３を覆うことができ、外観品質を確保することが可能となる。通孔３を覆う場合には、カバー部材１２をそのままの姿勢で上方に引き上げた後、互いの先端側長辺１２ｂを近接する方向に向けて下方に回転させる操作を行えば良い。
【００３７】
この配線用カバー装置１０によれば、アーム部材１２５によってカバー部材１２が装置本体１１に支持された構造であるため、上述した配線ケーブルの敷設作業を行う場合、天板２の通孔３を開閉する際にカバー部材１２を取り外す必要がなく、カバー部材１２を紛失する等の問題を招来する恐れがない。しかも、通孔３を開放した場合には、図９に示すように、カバー部材１２が通孔３の内部に収納された状態となるため、配線ケーブルを敷設する際にカバー部材１２が邪魔になることもない。
【００３８】
さらに、上述した配線用カバー装置１０においては、アーム部材１２５とカバー部材１２とを相対的に回転可能に配設しており、カバー部材１２によって通孔３を開閉する操作と、カバー部材１２の通孔３に対して出し入れする操作とを個別に行うことが可能である。従って、図３、図６〜図９に示すように、通孔３の内部においてカバー部材１２を開閉移動させることができ、通孔３を超えてカバー部材１２を外方に移動させる必要がない。このため、カバー部材１２によって通孔３を覆った場合に、カバー部材１２の基端側長辺１２ａと天板２との間に隙間を確保しておく必要もなくなり、外観品質を低下させる事態を招来することがない。
【００３９】
しかも、支持壁部１１１に対してアーム部材１２５を揺動させる際の揺動軸心となるネジ嵌着孔１２５ｃやカバー部材１２に対してアーム部材１２５を回転させる際の回転軸心となる支持ピン部１２５ｂを常に同じ位置に規定することができる。このため、カバー部材１２の長辺寸法が大きな場合であっても、通孔３に対してカバー部材１２やアーム部材１２５が傾斜する等の事態を招来する恐れがなく、カバー部材１２を開閉する際の挙動を安定化することができ、その操作を良好に行うことができる。
【００４０】
さらに、開放された通孔３を覆うべくカバー部材１２を上方に引き上げた場合には、カバー部材１２の案内ピン１２４が案内溝１１５の回転案内部１１５ａに至った時点でカバー部材１２の基端側長辺１２ａを通孔３の長辺３ａに近接した方向に案内するため、カバー部材１２の先端側長辺１２ｂが通孔３を覆う方向に回転することになり、その操作をきわめて容易に行うことができるようになる。
【００４１】
尚、上述した実施の形態では、４名で使用することを前提としたテーブル１に適用する配線用カバー装置１０を例示したが、必ずしもこれに限定されず、５名以上で使用するテーブルであっても、３名以下で使用するテーブルであっても同様に適用することは可能である。この場合、通孔３が天板２の中央部に設けられている必要はなく、特に片側に着座することを前提としたテーブルにあっては、天板の奥側に通孔が形成されているものであっても構わない。
【００４２】
また、上述した実施の形態では、２枚のカバー部材１２を備えたものを例示しているが、カバー部材の数は１枚であっても構わない。
【符号の説明】
【００４４】
２      天板
３      通孔
１０      配線用カバー装置
１１      装置本体
１２      カバー部材
１１１      支持壁部
１１５      案内溝
１１５ａ      回転案内部
１１５ｂ      揺動案内部
１２４      案内ピン
１２５      アーム部材
１２５ｂ      支持ピン部
１２５ｃ      ネジ嵌着孔
【図１】
0005686575.tif 000002
【図２】
0005686575.tif 000003
【図３】
0005686575.tif 000004
【図４】
0005686575.tif 000005
【図５】
0005686575.tif 000006
【図６】
0005686575.tif 000007
【図７】
0005686575.tif 000008
【図８】
0005686575.tif 000009
【図９】
0005686575.tif 000010